(57)【特許請求の範囲】
【請求項１】
挿入口及び引出口を有する両端開口の管路、所定の引っ張り抗力を有する変形容易な予備線、及び、吸入口から吸気する吸引装置を準備し、
前記吸引装置の吸入口を前記管路の引出口に連結して前記吸引装置により前記管路内の空気を吸引させた状態で、前記予備線の先端部を前記管路の挿入口に差し入れて前記予備線を前記管路の引出口まで吸引させ、
その後、前記予備線の挿入口側の端部に前記管路に挿通すべきる線体の先端部を結合し、前記予備線の前記引出口側の部分を引っ張ることにより前記管路内に前記線体を挿通することを特徴とする挿線方法であって、
前記予備線の先端部に樹脂又はゴム製のテープが設けられていることを特徴とする挿線方法。
【発明の詳細な説明】
【０００１】
【発明の属する技術分野】
本発明は、挿線方法に関する。
【０００２】
【従来の技術】
１ないし複数の導電線ないし通信線を含むケーブル（導体ケーブル、同軸ケーブル、導波管ケーブル、光ファイバケーブル）は、その保護のために通常、パイプやダクトなどの管路に収容される。
管路は、たとえば道路下の地中や、建物のパイプシャフト、天井裏などに長大で屈曲した形状に設けられており、その上、既にケーブルが挿線された後に追加のケーブルを挿線することも多いので、一般に、グラスファイバを多数集合して樹脂被覆した引糸を予備線としてあらかじめ管路に挿通し、その後、この予備線の一端にケーブルの先端部を結合し、予備線の他端を引っ張って、管路内にケーブルを挿線している。
【０００３】
【発明が解決しようとする課題】
しかしながら、上記した引糸を管路内に挿通する挿線作業は、困難で長時間及び人手を要する作業であり、その作業性の向上が望まれていた。
すなわち、この引糸は、押し込み時に管路内で生じる抵抗に打つ克つためにその長尺方向に大きな剛性を必要とするにもかかわらず、管路の曲がりや内部のケーブル配置状況に応じて柔軟に湾曲する必要があるという矛盾した特性を必要とし、どうしても上記剛性確保のために湾曲容易性が制限され、この結果として押し込み抵抗が大きくなり、押し込み困難となった。更に、引糸の先端部が既に敷設されたケーブルの外皮を傷つけることも裂けねばならず、余りに無理な押し込みは困難であった。
【０００４】
このため、押し込み作業では、多少押し込んだ後、また少し引いて再度押し込むといった作業を繰り返すことが多くなり、３００ｍ程度引糸を挿線するのに数時間以上掛かるのが普通であった。
本発明は、上記問題点に鑑みなされたものであり、従来に比較して格段に作業性に優れた挿線方法を提供することをその目的としている。
【０００５】
【課題を解決するための手段】
請求項１記載の挿線方法によれば、管路の引出口から管路内の空気を吸引し、変形容易で軽量な予備線をこの空気流により管路内に挿線する。
実験によれば、このような予備線を吸引方式で挿線すると、直管路だけでなく、屈曲管路や、既にケーブルが収容された管路においても従来より格段（たとえば３０倍以上）に短い作業時間で予備線の挿線を行うことができることがわかった。
【０００６】
本発明者の推測によれば、このような優れた挿線性は、予備線が柔軟であり、しかもその先端部を強く吸引するので、管路途中に予備線が溜まって詰まることがない点、管路内の吸引空気流は管路内の予備線全体に接触して予備線全体を挿線方向を付勢する点、管路内に曲がりなどが生じるとそこに大きな空気抵抗が生じて予備線はそこで大きく挿線方向へ付勢される点、管路内に曲がりなどが生じるとこの曲がりに応じて吸引空気流が予備線に与える付勢力の方向も変化し、その結果常に予備線の長さ方向に付勢が生じること、などが予想される。
【０００７】
更に、本構成の挿線方法によれば、従来のように引糸の挿線中に、既に挿線されたケーブルの外皮を傷つけるということがなく、その上、管路長を従来より格段に大きくできるので、管路間のケーブル接続用マンホール（中間ピット）の個数を減らすことができ、このことは道路表面にマンホールの蓋を多く設けなくてもよいという利点がある。
【０００８】
また更に、上記マンホール（中間ピット）でのケーブル接続作業が不要となるので、配線工事も簡単となり、ケーブルの信頼性も向上する。
吸引装置としては、ブロワのような遠心翼式のものでよく、掃除機用装置でも十分に実用に耐える。
予備線としては、ナイロン紐のように長尺方向の引っ張り状態を除いて任意の方向に容易に変形可能で軽量なものが好適である。
【０００９】
好適には、予備線は紐からなるので、管路の曲がりや管路途中の障害物に対応して予備線は自在に湾曲することができ、かつ、挿線後の本線引っ張りにも耐えることができ、好適である。特に、予備線をたとえばナイロン樹脂など、高引っ張り強度及び軽量性を有する樹脂紐とすれば、吸引空気流の付勢により容易に予備線を移送することができるので、好適である。
【００１０】
本発明では更に、予備線の先端部に樹脂又はゴム製のテープが設けられている。
このようにすれば、予備線の先端部が強く引っ張られて常に先頭に立ちつづけるので、予備線の先端部が管路内に滞ってこの部位に予備線のその後の部分が集積して予備線が管路内に詰まるということがない。
【００１２】
【発明を実施するための態様】
本発明の好適な態様を以下の実施例を参照して説明する。
【００１３】
（参考例）
本発明の挿線方法及び挿線装置の参考例を図１を参照して以下に説明する。
１，２は道路下に設けられたマンホールであり、３はマンホール蓋が外されたマンホール口である。４は両マンホール１，２間に設けられた直径が約６０ｍｍで長さが約３００ｍの管路であり、マンホール１には管路４の挿入口５が開口し、マンホール２には管路４の引出口６が開口している。７は吸引装置であり、吸引用可撓管８の先端部９は管路４の引出口６の周辺の壁部に密着している。１０は直径が５〜２０ｍｍのナイロン紐からなる予備線であり、その先端部にはゴム乃至樹脂紐を折って形成して２倍以上径大な大空気抵抗部１０ａが設けられている。予備線１０は図示しないドラムに巻回されている。
【００１４】
いま、予備線１０の先端部をわずかに管路４の挿入口５に押し込んだ状態で吸引装置７を駆動すると、予備線１０は高速に管路４内に吸引され、実験によればわずか数分で挿線が完成する。
吸引用可撓管８は、半透明樹脂製の可撓ホース乃至蛇腹管であり、予備線１０の到達が目視できるようになっている。
【００１５】
なお、吸引用可撓管８の先端部９は板状となってマンホール２の壁部に密着するようになっている。
図２〜図４に、予備線１０の参考態様及び実施態様を示す。
（参考例）
図２では予備線１０の先端部に樹脂又はゴム製で中空の銛状突起１０ｂが設けられている。この銛状突起１０ｂは障害物があれば容易に凹んでそれに応じて変形できるとともに先細となっているので、挿入抵抗が小さく、かつ根元部は急激に径小化する段差部を２段有するので、この部分に吸引空気流が後ろから衝突して、この銛状突起１０ｂを前方に良好に付勢することができる。
（実施例）
図３では予備線１０の先端部に樹脂又はゴム製のテープ２ｃが２条設けられている。このテープ２ｃは吸引空気流により強く付勢されるとともに柔軟性に富むので、円滑に予備線１０をリードすることができる。
（参考例）
図４では、予備線として、外表面に凹凸を多数有する中空紐または管が用いられる。なお、上記凹凸は、挿線抵抗の増大を防ぎつつ吸引空気流の付勢が大きくなるように鋸歯状とされている。もしくは、中実な紐の表面にゴム膜などで図４のような凹凸を設けてもよい。
【００１６】
図５〜図７に、吸引用可撓管８の先端部９の変形態様を示す。ただし、１１はマンホール２の壁部である。
（参考例）
図５では、吸引用可撓管８の先端部９は、軟質ゴム製のシール用輪板部１２、フランジ板１３、蛇腹管１４からなり、シール用輪板部１２はフランジ板１３の鍔部に接着され、蛇腹管１４はフランジ板１３に嵌着されて、リング１５で締め付けられている。
【００１７】
吸引用可撓管８の先端部９の内部が真空となることにより、フランジ板１３はシール用輪板部１２を押圧してマンホール２の壁部２ａに密着することができる。
もちろん、マンホール２の壁部にボルトなどでフランジ板１３を固定することも可能である。
（参考例）
図６では、図５に示す軟質ゴム製のシール用輪板部１２の表面に同軸の多数のリング状溝を設けたものである。このようにすれば、シール性が一層向上する。
（参考例）
図７では、吸引用可撓管８の先端部９は、円筒状の軟質ゴムからなるシール筒１６、蛇腹管１７、巻締め板１８からなり、蛇腹管１７はシール筒１６を介して管路４の引出口６に嵌着され、巻締め板１８を締めて固定されている。このようにしても、吸引用可撓管８の先端部９からの空気の流入を防ぐことができる。
（変形態様）
なお、少なくとも管路の引出口から空気を吸引することにより予備線を吸引するものであれば、管路の挿入口から空気を押し込む装置を付加することもできる。
【図面の簡単な説明】
【図１】  本発明の挿線方法及び挿線装置の参考例を示す模式断面図である。
【図２】  予備線の先端部の参考例を示す模式断面図である。
【図３】  予備線の先端部の実施態様を示す模式側面図である。
【図４】  予備線の参考例を示す模式断面図である。
【図５】  吸引用可撓管８の先端部９の参考例を示す断面図である。
【図６】  吸引用可撓管８の先端部９の参考例を示す断面図である。
【図７】  吸引用可撓管８の先端部９の参考例を示す断面図である。
【符号の説明】
４は管路、５は管路の挿入口、６は管路の引出口、７は吸引装置、１０は予備線、１２，１２ｂ，１６は弾性シールリング
【図１】
0004117861.tif 000002
【図２】
0004117861.tif 000003
【図３】
0004117861.tif 000004
【図４】
0004117861.tif 000005
【図５】
0004117861.tif 000006
【図６】
0004117861.tif 000007
【図７】
0004117861.tif 000008